(57)【要約】【課題】内デッキカバーの開閉のしやすさを向上させることができる乗客コンベアをの提供。【解決手段】固定内デッキカバー３と、２枚の固定内デッキカバー３間に着脱可能に設けられる着脱内デッキカバー４とから複数の内デッキカバーを構成し、着脱内デッキカバー４を２枚の板状部材４ｃ、４ｄと、これらの板状部材４ｃ、４ｄを連結するバネ付きヒンジ４ａと、２枚の板状部材４ｃ、４ｄのそれぞれに設けられ、２枚の固定内デッキカバー３のそれぞれの背面に当接するツメ部４ｂとを有する構成とすることによって、着脱内デッキカバー４が２枚の固定内デッキカバー３間で着脱可能となるようにした。【選択図】図１
2008074577.tif 000002
【特許請求の範囲】
【請求項１】
スカートガードと欄干との間に、直線状に並べられて設けられる複数の内デッキカバーを備えた乗客コンベアにおいて、
前記スカートガードと前記欄干に固定される固定内デッキカバーと、２枚の固定内デッキカバー間に着脱可能に設けられる着脱内デッキカバーとから前記複数の内デッキカバーを構成し、前記着脱内デッキカバーを２枚の板状部材と、これらの板状部材を連結するバネ付きヒンジと、前記２枚の板状部材のそれぞれに設けられ、前記２枚の固定内デッキカバーのそれぞれの背面に当接するツメ部とを有する構成とすることによって、前記着脱内デッキカバーが前記２枚の固定内デッキカバー間で着脱可能となるようにしたことを特徴とする乗客コンベア。
【請求項２】
請求項１記載の乗客コンベアにおいて、
前記着脱内デッキカバーと前記スカートガードを帯磁性体にて構成し、前記着脱内デッキカバーと前記スカートガードの間に介設した磁性体を設けたことを特徴とする乗客コンベア。
【請求項３】
請求項２に記載の乗客コンベアにおいて、
前記着脱内デッキカバーと前記スカートガードの上部と前記磁性体の上部とに当接する当接部と、この当接部に連設され、スカートガードに係合可能な係合部とを有する帯磁性体から成る脱落防止部材を設けたことを特徴とする乗客コンベア。
【発明の詳細な説明】
【技術分野】
【０００１】
本発明は、踏段の側端に立設されたスカートガードと、このスカートガードの上方に立設される欄干との間に直線状に並べられて設けられる複数の内デッキカバーを備え、これらの複数の内デッキカバーの開閉を部分的に容易にした乗客コンベアに関するものである。
【背景技術】
【０００２】
この種の乗客コンベアとしては、特許文献１に示される従来技術がある。この従来技術では、複数の内デッキカバーのうちのいくつかが欄干の下端部とヒンジで連結されていて、欄干に対して上下方向に回動できるようになっている。これらの内デッキカバーとスカートガードは、ネジにより固定されている。
【０００３】
このように構成された従来技術では、前記ネジを取外した後、内デッキカバーを上方に回動させることにより、複数の内デッキカバーを部分的に開けることができるので、保全作業や点検作業を行いやすい。    
【特許文献１】特開２００５−２４７５６３公報
【発明の開示】
【発明が解決しようとする課題】
【０００４】
前述した従来技術では、ネジの取付け及び取外し時に、ネジを乗客コンベア内に落下させて、紛失しないように注意する必要があるため、内デッキカバーの開閉作業が煩わしく、保全作業や点検作業の能率に悪影響を与えていた。
【０００５】
本発明は、このような従来技術の実状を考慮してなされたもので、その目的は、内デッキカバーの開閉のしやすさを向上させることができる乗客コンベアを提供することにある。
【課題を解決するための手段】
【０００６】
この目的を達成するために、本発明では、スカートガードと欄干との間に、直線状に並べられて設けられる複数の内デッキカバーを備えた乗客コンベアにおいて、前記スカートガードと前記欄干に固定される固定内デッキカバーと、２枚の固定内デッキカバー間に着脱可能に設けられる着脱内デッキカバーとから前記複数の内デッキカバーを構成し、前記着脱内デッキカバーを２枚の板状部材と、これらの板状部材を連結するバネ付きヒンジと、前記２枚の板状部材のそれぞれに設けられ、前記２枚の固定内デッキカバーのそれぞれの背面に当接するツメ部とを有する構成とすることによって、前記着脱内デッキカバーが前記２枚の固定内デッキカバー間で着脱可能となるようにしたことを特徴としている。
【０００７】
このように構成した本発明では、着脱内デッキカバーを屈曲させて、着脱内デッキカバーを持ち上げることにより、固定内デッキカバーのそれぞれの下方から着脱内デッキカバーの両端のツメ部が抜け、着脱内デッキカバーを取外すことができる。
【０００８】
また、取外した着脱内デッキカバーを屈曲させた状態で、２枚の固定内デッキカバーの間に配置し、屈曲した状態の着脱内デッキカバーをバネ付きヒンジのバネ力により復元させながら着脱内デッキカバーの両端のツメ部のそれぞれを、２枚の固定内デッキカバーのそれぞれの下方に入り込ませることによって、取外した着脱内デッキカバーを元の位置に取付けることができる。
【０００９】
つまり、従来のように、ネジの取付け及び取外しを行うことなく、２枚の固定内デッキカバー間における着脱内デッキカバーの着脱を容易に行うことができる。したがって、内デッキカバーの開閉のしやすさを向上させることができる。
【００１０】
また、本発明は前記発明において、前記着脱内デッキカバーと前記スカートガードを帯磁性体にて構成し、前記着脱内デッキカバーと前記スカートガードの間に介設した磁性体を設けたことを特徴としている。
【００１１】
また、本発明は前記発明において、前記着脱内デッキカバーと前記スカートガードの上部と前記磁性体の上部とに当接する当接部と、この当接部に連設され、スカートガードに係合可能な係合部とを有する帯磁性体から成る脱落防止部材を設けたことを特徴としている。
【発明の効果】
【００１２】
本発明は、前述したように、ネジの取付け及び取外しを行うことなく、２枚の固定内デッキカバー間における着脱内デッキカバーの着脱を容易に行うことができるので、内デッキカバーの開閉のしやすさを従来よりも向上させることができる。したがって、保全作業や点検作業の能率向上に貢献できる。
【発明を実施するための最良の形態】
【００１３】
以下、本発明に係る乗客コンベアを実施するための最良の形態を図に基づいて説明する。
【００１４】
図１は、本発明に係る乗客コンベアの一実施形態の着脱内デッキカバーが２枚の固定内内デッキカバー間から取外された状態を示す斜視図、図２は、図１に示す着脱内デッキカバーが取付された状態を示す斜視図、図３は、図１に示す着脱内デッキカバーの側面図、図４は、着脱内デッキカバーとスカートガードの結合構成を示す断面図である。
【００１５】
本発明に係る乗客コンベアの一実施形態では、図１に示すように、踏段１に近接して立設されたスカートガード２と欄干１０との間に、複数の内デッキカバーが直線状に並べられて設けられている。これらの内デッキカバーは、スカートガード２と欄干１０の間で、スカートガード２にネジ６により複数個所を締結されて固定される固定内デッキカバー３と、２枚の固定内デッキカバー３間に着脱可能に設けられる着脱内デッキカバー４とから構成されている。
【００１６】
着脱内デッキカバー４は、バネ付きヒンジ４ａにより着脱可能となっている。つまり、着脱内デッキカバー４は、同形状、同寸法の２枚の板状部材４ｃ、４ｄがバネ付きヒンジ４ａにより連結されていることによって、中央から矢印方向Ｆに屈曲させることができ、図３に示すように、矢印Ｆ方向と逆方向（矢印Ｒ方向）のバネ力により、復元するようになっている。
【００１７】
図４に示すように、着脱内デッキカバー４は、欄干１０側から踏段１の方向に傾斜する傾斜部４ｅと、この傾斜部４ｅから踏段１の上方に張出す張出し部４ｆと、この張出し部４ｆの下部を形成し、スカートガード２の延長線に直交する方向に延びる平坦部４ｇと、この平坦部４ｇから下方に延びるスカートガード２と平行な垂下部４ｈとを有している。
【００１８】
また、着脱内デッキカバー４とスカートガード２は、帯磁性体である金属部材から形成されていて、着脱内デッキカバー４の垂下部４ｈとスカートガード２との間には、磁性体１１が介設している。さらに、着脱内デッキカバー４の張出し部４ｆの下部を形成する平坦部４ｇと磁性体１１とスカートガード２とは、互いの上部との間に段差が生じないように配置されている。
【００１９】
さらに、本実施形態は、前述した着脱内デッキカバー４の張出し部４ｆの下部を形成する平坦部４ｇと、スカートガード２の上部と、磁性体１１の上部とに、面接触する当接部１２ａと、この当接部１２ａに連設され、スカートガード２に係合可能なＬ字形の係合部１２ｂとを有する帯磁性体から成る脱落防止部材１２を備えている。この脱落防止部材１２は、磁性体１１の上部と当接部１２ａが当接することで磁化し、スカートガード２と着脱内デッキカバー４とに吸着することによって、スカートガード２と着脱内デッキカバー４の結合力を補強している。また、脱落防止部材１２は、着脱内デッキカバー４が踏段１の方向にずれた場合に、Ｌ字型の係合部１２ｂがスカートガード２の上部に係合することで、欄干１０とスカートガード２の間からの着脱内デッキカバー４の脱落を防ぐようになっている。
【００２０】
次に前述のように構成した本実施形態における着脱内デッキカバー４の取外し作業について説明する。まず、図２に示すように、作業者は、２枚の板状部材４ｃ、４ｄで形成される着脱内デッキカバー４の連結部に、バネ付きヒンジ４ａのバネ力に抗する矢印Ｐ方向の力を加える。このように矢印Ｐ方向の力を加えることで、着脱内デッキカバー４を屈曲させて、着脱内デッキカバー４を持ち上げる。これにより、固定内デッキカバー３のそれぞれの下方から着脱内デッキカバー４の両端のツメ部４ｂが抜け、着脱内デッキカバー４が取外される。
【００２１】
次に本実施形態における着脱内デッキカバー４の取付け作業について説明する。まず、図１に示すように、作業者は、前述のようにして取外した着脱内デッキカバー４を矢印Ｆ方向に屈曲させた状態にする。次に、この屈曲させた状態の着脱内デッキカバー４を、上方（矢印Ｉ方向）から２枚の固定内デッキカバー３間に配置する。そして、着脱内デッキカバー４をバネ付きヒンジ４ａのバネ力により復元させながら、着脱内デッキカバー４の両端のツメ部４ｂを２枚の固定内デッキカバー３のそれぞれの下方に入り込ませる。これにより、取外した着脱内デッキカバー４が元の位置に取付けられる。
【００２２】
なお、着脱内デッキカバーの取付け作業は、着脱内デッキカバー４の垂下部４ｈに磁性体１１を吸着させ、さらに、脱落防止部材１２の当接部１２ａを着脱内デッキカバー４の張出し部４ｆの平坦部４ｇと、磁性体１１の上部とに吸着させた状態にして行われる。
【００２３】
本実施形態によれば、着脱内デッキカバー４を屈曲させて、着脱内デッキカバー４を持ち上げることにより、この着脱内デッキカバー４の両端にある固定内デッキカバー３のそれぞれの下方からツメ部４ｂが抜け、着脱内デッキカバー４を取外すことができる。また、取外した着脱内デッキカバー４を屈曲させた状態で、２枚の固定内デッキカバー３の間に配置し、屈曲した状態の着脱内デッキカバー４を復元させながら着脱内デッキカバー４の両端のツメ部４ｂのそれぞれを、２枚の固定内デッキカバー４ｂのそれぞれの下方に入り込ませることによって、取外した着脱内デッキカバー４を元の位置に取付けることができる。したがって、ネジの取付け及び取外しをすることなく、２枚の固定内デッキカバー３間における着脱内デッキカバー４の着脱を容易に行うことができる。これにより、内デッキカバーの開閉のしやすさを向上させることができる。
【図面の簡単な説明】
【００２４】
【図１】本発明に係る乗客コンベアの一実施形態の着脱内デッキカバーが２枚の固定内内デッキカバー間から取外された状態を示す斜視図である。
【図２】図１に示す着脱内デッキカバーが取付された状態を示す斜視図である。
【図３】図１に示す着脱内デッキカバーの側面図である。
【図４】着脱内デッキカバーとスカートガードの結合構成を示す断面図である。
【符号の説明】
【００２５】
１    踏段
２    スカートガードパネル
３    固定内デッキカバー
４    着脱内デッキカバー
４ａ  バネ付きヒンジ
４ｂ  ツメ部
４ｃ  板状部材
４ｄ  板状部材
４ｅ  傾斜部
４ｆ  張出し部
４ｇ  平坦部
４ｈ  垂下部
１０  欄干
１１  磁性体
１２  脱落防止部材
１２ａ  当接部
１２ｂ  係合部
【図１】
2008074577.tif 000003
【図２】
2008074577.tif 000004
【図３】
2008074577.tif 000005
【図４】
2008074577.tif 000006